(57)【特許請求の範囲】
【請求項１】
第１の誘電体層で覆われた第１電極および第２電極が互いに平行に形成された基板と、第２の誘電体層で覆われた第３電極が前記第１電極と直交する方向に形成された別の基板とが放電空間を挟んで対向配置され、前記第１電極と前記第２電極との距離が、前記第３電極の中心線上における前記放電空間の高さよりも大きく設定されており、維持期間において、前記第１電極および前記第２電極に交互に維持パルス電圧を印加し、前記第１電極または前記第２電極と前記第３電極との間で放電を起こすことにより、前記第１電極と前記第２電極との間に放電を誘発させることを特徴とするＡＣ型プラズマディスプレイ装置。
【請求項２】
前記維持パルス電圧の振幅が、前記第１電極を陰極とした場合の前記第１電極と前記第３電極との間の放電開始電圧より大きく、かつ前記第１電極と前記第３電極との間に放電が存在している場合の、前記第１電極と前記第２電極との間の放電開始電圧の１／２よりも大きく設定されたことを特徴とする請求項１記載のＡＣ型プラズマディスプレイ装置。
【請求項３】
前記維持パルス電圧の振幅が、前記第２電極を陰極とした場合の前記第２電極と前記第３電極との間の放電開始電圧より大きく、かつ前記第２電極と前記第３電極との間に放電が存在している場合の、前記第１電極と前記第２電極との間の放電開始電圧の１／２よりも大きく設定されたことを特徴とする請求項２記載のＡＣ型プラズマディスプレイ装置。
【請求項４】
前記維持パルス電圧の振幅が、前記第１電極と前記第２電極との間の放電開始電圧の１／２よりも小さく設定されたことを特徴とする請求項２または３記載のＡＣ型プラズマディスプレイ装置。
【請求項５】
前記維持パルス電圧の振幅が、前記第３電極を陰極とした場合の前記第１電極と前記第３電極との間の放電開始電圧よりも小さく設定されたことを特徴とする請求項２ないし４のいずれかに記載のＡＣ型プラズマディスプレイ装置。
【請求項６】
前記維持パルス電圧の振幅が、前記第３電極を陰極とした場合の前記第２電極と前記第３電極との間の放電開始電圧よりも小さく設定されたことを特徴とする請求項３ないし５のいずれかに記載のＡＣ型プラズマディスプレイ装置。
【請求項７】
前記第１電極および前記第２電極を金属母線と透明電極とで構成したことを特徴とする請求項１ないし６のいずれかに記載のＡＣ型プラズマディスプレイ装置。
【発明の詳細な説明】
【０００１】
【発明の属する技術分野】
本発明は、ＡＣ型プラズマディスプレイ装置に関するものである。
【０００２】
【従来の技術】
従来のＡＣ型プラズマディスプレイパネルの要部断面図を図６に示す。図６（ｂ）は図６（ａ）のＢ−Ｂ断面図である。
【０００３】
従来のＡＣ型プラズマディスプレイパネル（以下、パネルという）１は、図６に示すように、放電空間２を挟んでガラス製の表面基板３およびガラス製の背面基板４が対向して配置されている。表面基板３上には、誘電体層５および保護膜６で覆われた対を成す帯状の走査電極７と維持電極８とからなる電極群が互いに平行配列されている。走査電極７および維持電極８はそれぞれ、透明電極７ａ、８ａと導電性を高めるための金属母線７ｂ、８ｂとから構成されている。
【０００４】
背面基板４上には、走査電極７および維持電極８と直交する方向に帯状のデータ電極９が互いに平行配列されており、またこの各データ電極９を隔離し、かつ放電空間２を形成するための帯状の隔壁１０がデータ電極９の間に設けられている。また、データ電極９上から隔壁１０の側面にわたって蛍光体１１が形成されている。さらに、放電空間２にはヘリウム（Ｈｅ）、ネオン（Ｎｅ）およびアルゴン（Ａｒ）のうち少なくとも一種とキセノン（Ｘｅ）との混合ガスが封入されている。
【０００５】
このパネル１は表面基板３側から画像表示を見るようになっており、放電空間２内での走査電極７と維持電極８との間の放電により発生する紫外線によって、蛍光体１１を励起し、この蛍光体１１からの可視光を表示発光に利用するものである。
【０００６】
次に、従来のパネル１に画像データを表示させる方法について説明する。
【０００７】
従来のパネルを駆動する方法として、１フィールド期間を２進法に基づいた発光期間の重みを持った複数のサブフィールドに分割し、発光させるサブフィールドの組み合わせによって階調表示を行う。各サブフィールドは初期化期間、アドレス期間および維持期間からなる。
【０００８】
画像データを表示するためには、初期化期間、アドレス期間および維持期間でそれぞれ異なる信号波形を各電極に印加する。初期化期間には、たとえば、維持電極８およびデータ電極９に対して正極性のパルス電圧をすべての走査電極７に印加し、保護膜６および蛍光体１１上に壁電荷を蓄積する。
【０００９】
アドレス期間では、すべての走査電極７に順次、負極性のパルスを印加することにより走査していく。表示データがある場合、走査電極７を走査している間に、データ電極９に正極性のデータパルスを印加すると、走査電極７とデータ電極９との間で放電が起こり、走査電極７上の保護膜６の表面に壁電荷が形成される。
【００１０】
続く維持期間では一定の期間、走査電極７と維持電極８との間に放電を維持するのに十分な電圧を印加する。これにより、走査電極７と維持電極８との間に放電プラズマが生成され、一定の期間、蛍光体１１を励起発光させる。アドレス期間においてデータパルスが印加されなかった放電空間では、放電は発生せず蛍光体１１の励起発光は起こらない。
【００１１】
このような従来のパネル１では、走査電極７と維持電極８との距離（電極間距離）ｄは、パッシェンの法則で決まる最小放電電圧が得られる値の近くに設定されている。これは、維持期間において走査電極７と維持電極８との間に印加する外部維持電圧ＶSUSを低くするためである。すなわち、走査電極７と維持電極８との間の放電開始電圧をＶｆSSとし、走査電極７上の誘電体層５の壁電圧と維持電極８上の誘電体層５の壁電圧との和をＶｗSSとするとき、放電空間に加わる電圧はＶSUS＋ＶｗSSであるため、走査電極７と維持電極８との間で放電を維持するためには、
ＶｆSS＜ＶSUS＋ＶｗSS              （１）
でなければならない。ＶｆSSが最小になるようにパネルを設計することで、より低い外部維持電圧ＶSUSで放電を維持することができる。外部維持電圧ＶSUSは低いほど回路設計が容易になり、また無効電力による損失も低減できる。
【００１２】
現在、製造されているパネルでは、封入ガスの全圧が約５０〜６０ｋＰａ、電極間距離ｄが８０〜１００μｍにおいてＶSUSは極小となり、ＶSUS＝１８０〜２００Ｖを得ている。またその場合、キセノンガスの分圧が５〜１０％で、最も発光効率が高くなることが知られている。
【００１３】
【発明が解決しようとする課題】
しかし従来のパネルでは、ＣＲＴなどの表示装置と比較して発光効率が著しく低いという課題があった。たとえば上述した、電極間距離ｄが８０〜１００μｍのパネルでは、発光効率は１ｌｍ／Ｗ前後とＣＲＴの５分の１程度である。
【００１４】
また、一般に放電を起こす電極間の距離を長くすると発光効率は上昇することが知られているが、走査電極７と維持電極８との距離を長くすると放電開始電圧ＶｆSSもパッシェン曲線にしたがって急激に上昇し、駆動が困難になるという課題があった。
【００１５】
本発明はこのような課題を解決するためになされたもので、電極間距離を長くした場合においても、放電維持のための印加電圧を大きく上昇させることなく、発光効率の高いＡＣ型プラズマディスプレイ装置を提供することを目的とする。
【００１６】
【課題を解決するための手段】
本発明のＡＣ型プラズマディスプレイ装置は、第１の誘電体層で覆われた第１電極および第２電極が互いに平行に形成された基板と、第２の誘電体層で覆われた第３電極が前記第１電極と直交する方向に形成された別の基板とが放電空間を挟んで対向配置され、前記第１電極と前記第２電極との距離が、前記第３電極の中心線上における前記放電空間の高さよりも大きく設定されており、維持期間において、前記第１電極および前記第２電極に交互に維持パルス電圧を印加し、前記第１電極または前記第２電極と前記第３電極との間で放電を起こすことにより、前記第１電極と前記第２電極との間に放電を誘発させるものである。
【００１７】
この構成により、放電維持電圧を大きく上昇させることなく、維持放電が発生する電極間距離を大きくすることができ、発光効率が大幅に向上したＡＣ型プラズマディスプレイ装置を得ることができる。
【００１８】
【発明の実施の形態】
以下、本発明の一実施の形態について図面を用いて説明する。
【００１９】
本発明の第１の実施形態のＡＣ型プラズマディスプレイパネル（以下、パネルという）の要部断面図を図１に示す。図１（ｂ）は図１（ａ）のＣ−Ｃ断面図である。
【００２０】
図１に示すように、本発明の第１の実施形態のパネル１２は、放電空間２を挟んでガラス製の表面基板３とガラス製の背面基板４とが対向して配置されている。表面基板３上には、誘電体層５および保護膜６からなる第１の誘電体層で覆われた帯状の第１電極Ｘと第２電極Ｙとからなる電極対が複数配列されている。保護膜６として酸化マグネシウム（ＭｇＯ）等の二次電子放射係数の高い材料を用いている。
【００２１】
背面基板４上には、第１電極Ｘおよび第２電極Ｙと直交する方向に、複数の帯状の第３電極Ａが配列されており、この各第３電極Ａを隔離し、かつ放電空間２を形成するための帯状の隔壁１０が第３電極Ａの間に設けられている。また、第３電極Ａ上から隔壁１０の側面にわたって第２の誘電体層である蛍光体１１が形成されている。さらに、放電空間２にはＨｅ、Ｎｅ、Ａｒのうち、少なくとも一種とＸｅとの混合ガスが封入されている。１つの第１電極Ｘおよび第２電極Ｙと１つの第３電極Ａとの交差部に１つの放電セルが構成される。そして、赤色、緑色および青色の蛍光体がそれぞれ形成され、互いに隣接した３つの放電セルにより、１つの画素を構成している。
【００２２】
このパネル１２は表示面側である表面基板３側から画像表示を見るようになっており、放電空間２内の放電により発生する紫外線によって、蛍光体１１を励起し、この蛍光体１１から発生する可視光を表示発光に利用するものである。
【００２３】
本実施形態のパネルにおいては、第１電極Ｘと第２電極Ｙとの距離（以下、維持放電ギャップという）をｄSSとし、第３電極Ａの中心線上における蛍光体１１の表面と保護膜６の表面との距離、すなわち第３電極Ａの中心線上における放電空間２の高さ（以下、アドレス放電ギャップという）をｄSAとしたとき、ｄSS＞ｄSAと設定している。また、維持放電空間とは第１電極Ｘと第２電極Ｙとの間の放電空間を指すものとし、アドレス放電空間とは第３電極Ａと第１電極Ｘまたは第２電極Ｙとの間の放電空間を指すものとする。ここで各電極間の放電開始電圧を次のように定義する。
ＶｆSS：第１電極Ｘと第２電極Ｙとの間の放電開始電圧
ＶｆSA：第１電極Ｘを陰極とした場合の第１電極Ｘと第３電極Ａとの間の放電開始電圧、または第２電極Ｙを陰極とした場合の第２電極Ｙと第３電極Ａとの間の放電開始電圧
ＶｆAS：第３電極Ａを陰極とした場合の第１電極Ｘと第３電極Ａとの間の放電開始電圧、または第３電極Ａを陰極とした場合の第２電極Ｙと第３電極Ａとの間の放電開始電圧
ＶｆSSA：第１電極Ｘと第３電極Ａとの間、または第２電極Ｙと第３電極Ａとの間に放電が存在している場合の、第１電極Ｘと第２電極Ｙとの間の放電開始電圧放電開始電圧ＶｆSSは従来のパネルにおける、走査電極７と維持電極８との間の放電開始電圧と同じものだが、本実施形態では、維持放電ギャップを大きくしているので、従来のパネルにおける走査電極７と維持電極８との間の放電開始電圧より大きな値となる。放電開始電圧ＶｆSAと放電開始電圧ＶｆASとは互いに放電の極性が逆の場合の放電開始電圧であるが、ＶｆSAは二次電子放射係数が高い保護膜６を陰極側としたときの放電開始電圧であるのに対して、ＶｆASは二次電子放射係数が保護膜６と比較してかなり低い蛍光体を陰極側としたときの放電開始電圧であるため、ＶｆSA≪ＶｆASの関係がある。また、第１電極Ｘと第３電極Ａとの間、または第２電極Ｙと第３電極Ａとの間であらかじめ放電が起っていると、その放電が起こっている放電空間には多量の電荷が存在するため、第１電極Ｘと第２電極Ｙとの間の放電開始電圧は低下し、ＶｆSSA≪ＶｆSSとなる。
【００２４】
次に、本実施形態のパネル１２に画像データを表示させる方法について説明する。
【００２５】
本実施形態のパネル１２を駆動する方法として、１フィールド期間を２進法に基づいた発光期間の重みを持った複数のサブフィールドに分割し、発光させるサブフィールドの組み合わせによって階調表示を行う。各サブフィールドは初期化期間、アドレス期間および維持期間からなる。
【００２６】
画像データを表示するためには、初期化期間、アドレス期間および維持期間でそれぞれ異なる信号波形を電極に印加する。初期化期間には、たとえば、第２電極Ｙおよび第３電極Ａに対して正極性のパルス電圧をすべての第１電極Ｘに印加し、保護膜６および蛍光体１１上に壁電荷を蓄積する。アドレス期間では、すべての第１電極Ｘに順次、負極性のパルスを印加することにより走査していく。表示データがある場合、第１電極Ｘを走査している間に第３電極Ａに正極性のデータパルスを印加すると、第３電極Ａと第１電極Ｘとの間で放電が起こり、第１電極Ｘ上の保護膜６表面に壁電荷が形成される。
【００２７】
続く維持期間でのパネルの駆動方法について、図２および図３を参照しながら説明する。
【００２８】
図２（ａ）は第１電極Ｘに印加する電圧波形Ｖｘ（ｔ）であり、図２（ｂ）は第２電極Ｙに印加する電圧波形Ｖｙ（ｔ）であり、図２（ｃ）は第３電極Ａに印加する電圧波形Ｖａ（ｔ）である。Ｖｘ（ｔ）およびＶｙ（ｔ）は振幅がＶSUS（Ｖ）の維持パルス電圧であり、Ｖａ（ｔ）は０Ｖである。
【００２９】
図３（ａ）において、実線は第２電極Ｙから見た第１電極Ｘの電圧波形Ｖｘ（ｔ）−Ｖｙ（ｔ）を表している。また、破線は第１電極Ｘと第２電極Ｙとの間の壁電圧を表しており、第１電極Ｘ上の誘電体層５に蓄積された壁電圧と第２電極Ｙ上の誘電体層５に蓄積された壁電圧との和である。図３（ｂ）において、実線は第３電極Ａから見た第１電極Ｘの電圧波形Ｖｘ（ｔ）−Ｖａ（ｔ）を表している。また、破線は第１電極Ｘと第３電極Ａとの間の壁電圧を表しており、第１電極Ｘ上の誘電体層５に蓄積された壁電圧と第３電極Ａ上の蛍光体１１に蓄積された壁電圧との和である。図３（ｃ）において、実線は第３電極Ａから見た第２電極Ｙの電圧波形Ｖｙ（ｔ）−Ｖａ（ｔ）を実線で表している。また、破線は、第２電極Ｙと第３電極Ａとの間の壁電圧を表しており、第２電極Ｙ上の誘電体層５に蓄積された壁電圧と第３電極Ａ上の蛍光体１１に蓄積された壁電圧との和である。
【００３０】
これらの壁電圧はそれぞれの場合に応じて保護膜６または蛍光体１１上に蓄積される壁電荷によって生じたものである。壁電圧の極性は、印加電圧と壁電圧との差が、それぞれの電極間の放電空間に加わる電圧を表すように設定されている。
【００３１】
ここで、発生した放電によって蓄積される壁電圧の大きさは、外部から印加した電圧とほぼ同じ大きさになるものとしている。すなわち、図３（ａ）に示すように、時間ｔ1−Δｔおよび時間ｔ3−Δｔにおける第１電極Ｘと第２電極Ｙとの間の壁電圧ＶｗSS（Ｖ）は、外部維持電圧ＶSUS（Ｖ）とほぼ同じ大きさとなっている。また、図３（ｂ）および図３（ｃ）に示すように、時間ｔ1−Δｔにおける第１電極Ｘと第３電極Ａとの間の壁電圧と時間ｔ3−Δｔにおける第２電極Ｙと第３電極Ａとの間の壁電圧とはほぼ同じ大きさの壁電圧ＶｗSA（Ｖ）であり、この壁電圧ＶｗSA（Ｖ）は外部維持電圧ＶSUS（Ｖ）とほぼ同じ大きさとなっている。ここで、Δｔは時間ｔ3−ｔ1に比べて十分小さい時間である。
【００３２】
本実施の形態では、パネルを駆動する場合、
ＶｆSA＜ＶｗSA＜ＶｆAS               （２）
ＶｆSSA＜ＶSUS＋ＶｗSS＜ＶｆSS        （３）
の関係を満足するように、外部から印加する外部維持電圧ＶSUSの値を設定している。ここで、ＶｗSS≒ＶSUS、ＶｗSA≒ＶSUSであるので、
ＶｆSA＜ＶSUS＜ＶｆAS                （４）
ＶｆSSA／２＜ＶSUS＜ＶｆSS／２       （５）
である。次に、維持期間におけるパネルの動作について図３を用いて説明する。
【００３３】
まず時間ｔ1＋Δｔにおいて、第１電極Ｘと第３電極Ａとの間の放電空間には、第１電極Ｘを負極性すなわち陰極として、ＶｗSA（Ｖ）の電圧が加わる。したがって、式（２）より、第１電極Ｘと第３電極Ａとの間で放電が開始する。一方、第２電極Ｙと第３電極Ａとの間の放電空間には、第３電極Ａを負極性すなわち陰極として約ＶSUS（Ｖ）の電圧が加わる。したがって、式（４）より、第２電極Ｙと第３電極Ａとの間では放電は開始しない。
【００３４】
第１電極Ｘと第３電極Ａとの間で放電が開始すると、この放電によって第１電極Ｘと第２電極Ｙとの間の放電開始電圧はＶｆSSA（Ｖ）まで低下する。第１電極Ｘと第２電極Ｙとの間の放電空間に加わる電圧はＶSUS＋ＶｗSS（Ｖ）であり、式（３）より、第１電極Ｘと第２電極Ｙとの間で放電が開始する。その結果、表示発光が起こるとともに、放電空間内の電位を打ち消すように壁電圧が形成されるので、時間ｔ2では第１電極Ｘと第２電極Ｙとの間の放電は停止する。
【００３５】
次に時間ｔ3において、第１電極Ｘおよび第２電極Ｙに印加される電圧の極性が反転する。その結果、第１電極Ｘと第２電極Ｙとを入れ替えた形で時間ｔ1から時間ｔ3に至ったのと同様な過程を経て、第１電極Ｘと第２電極Ｙとの間に放電が形成され、時間ｔ1から時間ｔ4に至る１周期の維持動作が完了する。
【００３６】
以上のような動作を繰り返すことによって、大きな維持放電ギャップｄSSを有するパネルについて比較的低い電圧で表示放電を維持することができる。
【００３７】
次に、本実施の形態のパネルを駆動する場合の維持期間における印加電圧について、図４を用いて説明する。図４では横軸に維持放電ギャップｄSSを、縦軸に電圧をとっている。放電開始電圧ＶｆSSは比較的小さな維持放電ギャップｄSSで極小値を持ついわゆるパッシェンの曲線となる。また、放電開始電圧ＶｆSSAは放電開始電圧ＶｆSSとほぼ同形状の曲線となるが、その値は放電開始電圧ＶｆSSよりも低い。一方、放電開始電圧ＶｆASおよび放電開始電圧ＶｆSAは維持放電ギャップｄSSに依存せず、ほぼ水平な直線となる。なお、ｄSS＝ｄSAにおいて必ずしもＶｆSS＝ＶｆSAになるとは限らない。これは、維持放電空間での電界分布とアドレス放電空間での電界分布とが異なるからである。図４に示した例では、ｄSS＝ｄSAのとき、ＶｆSS＞ＶｆSAとした。
【００３８】
本実施形態のパネルでは、維持期間において式（４）および式（５）を満たす領域Ｄで動作させている。これにより、維持放電ギャップｄSSをｄSS＞ｄSAのように従来例より大きくした場合でも、アドレス放電空間で発生した放電によって維持放電を誘発させることができるため、発光効率が大幅に上昇する。また、維持放電ギャップｄSSを大きくしたにもかかわらず、比較的低い外部印加電圧で放電を維持することができる。さらに、ＶｆSSA／２＝ＶｆSAとなる維持放電ギャップｄSSをｄ0とするとき、ｄSS≦ｄ0と設定することにより、外部維持電圧ＶSUSの最低値を従来のパネルの最大維持電圧（〜ＶSA）とほぼ同等とすることができるので、駆動回路に大きな負担をかけることなく発光効率を向上することができる。
【００３９】
一方、従来のパネルでは、たとえばｄSA＝１３０〜１５０μｍ、ｄSS＝８０〜１００μｍというように電極間距離の関係がｄSS＜ｄSAとなるように設計されていた。このような従来のパネルを駆動する場合の維持期間では、式（１）の条件に加えて、
ＶｗSA＜ＶｆSA                        （６）
となるような外部維持電圧ＶSUSを印加していた。したがって、維持期間においてＶｗSS≒ＶSUS、ＶｗSA≒ＶSUSとすると、従来のパネルでは、式（１）および式（６）を満たす領域Ｅ（図４参照）で動作させており、アドレス放電空間で放電は起こっていなかった。
【００４０】
次に、本実施の形態によるパネルの設計パラメータの一例を表１に示す。
【００４１】
【表１】
0004048637.tif 000002
【００４２】
このパネルにおいて、各放電開始電圧は、
ＶｆSS＝７００Ｖ
ＶｆSA＝２５０Ｖ
ＶｆAS＝３５０Ｖ
ＶｆSSA＝４５０Ｖ
であり、ＶSUS＝２７０Ｖ、ｔ3−ｔ1＝ｔ4−ｔ3＝２．５μｓとすることにより、安定したパネル駆動を行うことができた。本実施の形態のパネルでは、維持放電ギャップｄSSが４００μｍのように従来のパネルの維持放電ギャップ（８０〜１００μｍ）に比べて４倍程度大きくなっている。このため、従来の駆動方法を用いた場合には、維持電圧が約４００Ｖ以上と非常に大きくなってしまい、安定した維持放電を行うことができないが、前述のようにアドレス放電空間で発生した放電によって維持放電空間に放電を誘発させることにより、電圧を大幅に上昇させることなく安定した維持放電を行うことができる。また、このパネルでは、約２ｌｍ／Ｗの発光効率を得ることができた。従来のパネルの発光効率は約１ｌｍ／Ｗであるため、本実施の形態のパネルでは、従来のパネルに比べて、発光効率が２倍近く向上した。
【００４３】
以上のように本実施の形態においては、維持放電ギャップを大きくすることができるため、発光効率が高く、かつ駆動電圧の上昇を抑制したＡＣ型プラズマディスプレイ装置を得ることができる。
【００４４】
次に本発明の第２の実施形態を図５を用いて説明する。
【００４５】
図５に示すように、本発明の第２の実施形態のパネルは、図１に示す第１の実施形態のパネルと基本的にほぼ同じ構成である。異なるのは、第１電極Ｘおよび第２電極Ｙを、それぞれＩＴＯ（Indium Tin Oxide）等からなる透明電極Ｘa、Ｙaと銀等からなる金属母線Ｘb、Ｙbとで構成したことにある。
【００４６】
第２の実施形態では、開口率を低下させることなく第１電極Ｘおよび第２電極Ｙの幅を広げることができるので、放電電流を大きくとることができ、輝度が向上する。また、一般に透明電極は抵抗値が高いため、金属母線を設けることによって導電性を高めている。
【００４７】
このように第２の実施形態においては、発光効率が高く、かつ駆動電圧の上昇を抑制することができるとともに、発光輝度が高いＡＣ型プラズマディスプレイ装置を得ることができる。
【００４８】
なお、上記実施の形態ではアドレス期間と維持期間を分離した、いわゆるアドレス−維持分離型駆動を行うＡＣ型プラズマディスプレイパネルについて説明したが、この他のアドレス方法を用いたＡＣ型プラズマディスプレイパネルにおいても同様の効果を得ることができる。また、初期化期間およびアドレス期間における印加電圧波形は本実施の形態と同じである必要はなく、画像データの有無に応じて選択的に壁電荷が形成されるものであればよい。
【００４９】
【発明の効果】
以上のように、本発明は、維持放電ギャップがアドレス放電ギャップよりも大きく設定されたＡＣ型プラズマディスプレイパネルにおいて、維持期間に、アドレス放電空間で発生した放電によって維持放電空間に放電を誘発させることにより、維持電圧を大幅に高めることなく発光効率の向上したＡＣ型プラズマディスプレイ装置を提供することができる。
【図面の簡単な説明】
【図１】本発明の第１の実施形態のＡＣ型プラズマディスプレイパネルの要部断面図
【図２】本発明の第１の実施形態のＡＣ型プラズマディスプレイパネルの維持電圧波形を示す図
【図３】本発明の第１の実施形態のＡＣ型プラズマディスプレイパネルの各電極間の電圧波形および壁電圧波形を示す図
【図４】本発明のＡＣ型プラズマディスプレイパネルの維持期間における動作電圧を説明する図
【図５】本発明の第２の実施形態のＡＣ型プラズマディスプレイパネルの要部断面図
【図６】従来のＡＣ型プラズマディスプレイパネルの要部断面図
【符号の説明】
２  放電空間
３  表面基板
４  背面基板
５  誘電体層
６  保護膜
１０  隔壁
１１  蛍光体
１２  パネル
Ｘ  第１電極
Ｙ  第２電極
Ａ  第３電極
【図１】
0004048637.tif 000003
【図２】
0004048637.tif 000004
【図３】
0004048637.tif 000005
【図４】
0004048637.tif 000006
【図５】
0004048637.tif 000007
【図６】
0004048637.tif 000008